(57)【要約】【課題】自動パワー制御における異常状態の発生原因に応じて光出力を適切に制御する光送信器を提供すること。【解決手段】  この光送信器１は、光信号Ｓｏｕｔを生成するＬＤ２と、ＬＤ２に駆動電流Ｉｂ＋Ｉｍを出力するＬＤ駆動回路３と、光信号Ｓｏｕｔの一部を受光し光電流Ｉｍｏｎを生成するモニタ用ＰＤ４と、光電流Ｉｍｏｎに基づいて、駆動電流Ｉｂ＋Ｉｍを制御する設定用信号Ｃｍ，ＣｂをＬＤ駆動回路３に出力するＬＤ制御回路５を備え、ＬＤ制御回路５は、バイアス電流Ｉｂを定期的にモニタし、当該モニタしたモニタ値Ｉｂｉａｓとバイアス電流閾値Ｉｂｔｈとの比較結果、及びモニタ値の時間変化量ΔＩｂｉａｓ／ΔＴと変化量閾値ΔＩｂｔｈとの比較結果に応じて、異常通知信号ＡＬＭを出力するとともに駆動電流Ｉｂ＋Ｉｍの出力を停止するように制御する。【選択図】図１
2007325189.tif 000002
【特許請求の範囲】
【請求項１】
光信号を生成するレーザダイオードと、
前記レーザダイオードに駆動電流を供給するレーザダイオード駆動回路と、
前記光信号の一部を受光しモニタ信号を生成するモニタ用フォトダイオードと、
前記モニタ信号に基づいて、前記駆動電流を制御する制御信号を前記レーザダイオード駆動回路に出力するレーザダイオード制御回路を備え、
前記レーザダイオード制御回路は、前記駆動電流を定期的に計測し、当該計測した計測値と第１の閾値との比較結果、及び前記計測値の時間変化量と第２の閾値との比較結果に応じて、前記駆動電流を停止するように制御する、
ことを特徴とする光送信器。
【請求項２】
前記レーザダイオード制御回路は、温度センサを更に有し、該温度センサの出力に応じて、前記第１及び第２の閾値の少なくともいずれか一方を変更する、
ことを特徴とする請求項１記載の光送信器。
【請求項３】
前記駆動電流の定期的計測は、前記制御信号を計測することにより行い、該計測値と前記第１の閾値とが比較され、該計測値の時間変化量と前記第２の閾値とが比較される、
ことを特徴とする請求項１又は２記載の光送信器。
【発明の詳細な説明】
【技術分野】
【０００１】
本発明は、光通信用の光送信器に関するものである。
【背景技術】
【０００２】
一般に、光データリンクを構成する光送信器においては、内蔵されたコントローラが自動パワー制御（APC: Auto Power Control）を用いて光出力の平均パワーと消光比を安定化している。通常は、光データリンク内に配置されたモニタ用フォトダイオードを用いてレーザダイオード（以下、ＬＤという）の光出力を測定し、測定値が一定となるようにＬＤに供給されるバイアス電流と変調電流を調整する。
【０００３】
このようなＡＰＣの異常状態を検知するための技術としては、例えば、下記特許文献１及び特許文献２のようなものが知られている。下記特許文献１には、レーザダイオードの異常等によりバイアス電流が増大した場合に、バイアス異常のアラームを発生させるとともに、ＡＰＣにおける制御を固定の光パワーになるように切り替える制御回路が開示されている。また、下記特許文献２には、トランシーバ及びレシーバから入力された信号と所定の閾値とを比較することによって、トランシーバをシャットダウンする制御回路が記載されている。
【特許文献１】特開２０００−２２６３１号公報
【特許文献２】米国特許第６９５２５３１号
【発明の開示】
【発明が解決しようとする課題】
【０００４】
ここで、ＡＰＣにおける異常状態の発生原因としては、（１）光出力モニタ部の故障によるＬＤの過発光、（２）ＬＤの経年劣化による光出力不足が考えられ、光出力を検出することでコントローラは（１）及び（２）を共にバイアス電流の異常として検知することができる。（１）の現象に対しては、Eye Safety（眼の安全性）の観点や光受信回路へのダメージを防止する観点から、異常検出時に即時に光出力をシャットダウンすることが望ましい。一方、（２）の現象に対しては、光出力は劣化していても通信が可能な場合があることから、上位システムに対して異常通知アラームを上げるにとどめて、光出力は継続して通信システムの運用を継続することが望ましい。
【０００５】
しかしながら、上記特許文献１の制御回路においては、ＬＤが劣化して動作が切り替わった場合に、設定された固定電圧値では正常に通信ができない可能性がある。これは、ＡＰＣの異常状態の検知時に上記（１）及び（２）の現象を区別できていないためである。また、上記特許文献２に記載の制御回路では、入力信号と閾値との比較結果で光出力をシャットダウンするため、伝送信号の切断となり通信システム上の障害となる場合がある。
【０００６】
そこで、本発明は、かかる課題に鑑みて為されたものであり、自動パワー制御における異常状態の発生原因に応じて光出力を適切に制御することが可能な光送信器を提供することを目的とする。
【課題を解決するための手段】
【０００７】
上記課題を解決するため、本発明の光送信器は、光信号を生成するレーザダイオードと、レーザダイオードに駆動電流を供給するレーザダイオード駆動回路と、光信号の一部を受光しモニタ信号を生成するモニタ用フォトダイオードと、モニタ信号に基づいて、駆動電流を制御する制御信号をレーザダイオード駆動回路に出力するレーザダイオード制御回路を備えている。このレーザダイオード制御回路は、駆動電流を定期的に計測し、当該計測した計測値と第１の閾値との比較結果、及び計測値の時間変化量と第２の閾値との比較結果に応じて、駆動電流を停止するように制御する。
【０００８】
このような光送信器においては、光信号のモニタ信号に応じて駆動電流が制御されて、光出力の自動パワー制御が為される。このとき、レーザダイオード制御回路によって、駆動電流の計測値と第１の閾値とを比較し、さらに計測値の時間変化量と第２の閾値とを比較し、両方の比較結果に応じて光出力の停止が為される。これにより、ＬＤの経年劣化による自動パワー制御の異常を判別して光出力のシャットダウンが可能になり、伝送信号の切断を極力防ぎつつ光出力を適切に制御することが可能となる。
【０００９】
レーザダイオード制御回路は、温度センサを更に有し、該温度センサの出力に応じて、第１及び第２の閾値の少なくともいずれか一方を変更することが好ましい。一般に、ＬＤの光出力は温度依存性を有しているが、このように構成することで、周辺温度に応じて自動パワー制御の異常状態の検知及び光出力制御が可能になる。
【００１０】
また、上記駆動電流の定期的計測は、制御信号を計測することにより行い、該計測値と第１の閾値とが比較され、該計測値の時間変化量と第２の閾値とが比較されることでもよい。かかる構成を採れば、駆動電流を計測するための制御回路の構成を単純化することができる。
【発明の効果】
【００１１】
本発明の光送信器によれば、自動パワー制御における異常状態の発生原因に応じて光出力を適切に制御することができる。
【発明を実施するための最良の形態】
【００１２】
以下、図面を参照しつつ本発明に係る光送信器の好適な実施形態について詳細に説明する。なお、図面の説明においては同一又は相当部分には同一符号を付し、重複する説明を省略する。
【００１３】
図１は、本発明の好適な一実施形態である光送信器１の構成を示す図である。同図に示す光送信器１は、光通信で用いられる光データリンクの一部を構成する光通信モジュールであり、光信号Ｓｏｕｔを生成して出力するレーザダイオード（以下、ＬＤという）２と、ＬＤ２に駆動電流を供給するＬＤ駆動回路３と、ＬＤ２から出力される光信号Ｓｏｕｔの一部を受光するモニタ用フォトダイオード（以下、ＰＤという）４と、ＬＤ駆動回路３が出力する駆動電流を制御するＬＤ制御回路５とを備えている。
【００１４】
ＬＤ２のアノードにはバイアス電位ＶＣＣが印加され、ＬＤ２のカソードには、ＬＤ駆動回路３の２つの接続端子３ａ，３ｂが接続されている。このＬＤ駆動回路３は、ＬＤ制御回路５から入力される変調電流設定用信号Ｃｍ及びバイアス電流設定用信号Ｃｂ（詳細は後述）に応じて、変調電流設定用信号Ｃｍ及びバイアス電流設定用信号Ｃｂのそれぞれのレベルに応じた変調電流Ｉｍ及びバイアス電流Ｉｂを生成し、接続端子３ａ，３ｂに出力する。このとき、ＬＤ駆動回路３は、外部から入力される相補的な２つの高周波信号Ｄａｔａ＋，Ｄａｔａ−を用いて変調電流Ｉｍの振幅を変調する。このようなＬＤ駆動回路３を構成する素子としては、差動増幅器、トランジスタ等を用いることができる。
【００１５】
さらに、ＬＤ２のアノードには、ＰＤ４のカソードが接続され、ＰＤ４のカソードには、バイアス電位ＶＣＣが印加されている。このＰＤ４は、ＬＤ２から出力される光信号Ｓｏｕｔの一部を受光し、光信号Ｓｏｕｔの光強度に応じた光電流（モニタ信号）Ｉｍｏｎを生成する。
【００１６】
ＬＤ制御回路５は、コントローラ６と、コントローラ６とＬＤ駆動回路３との間に接続された２つのデジタルアナログ変換器（Ｄ／Ａコンバータ）７ｍ，７ｂと、ＰＤ４の光電流Ｉｍｏｎをモニタする光信号モニタ部８と、光送信器１の内部温度を検出する温度検出部９と、コントローラ６に接続されたメモリ１０ａ，１０ｂとから構成されている。
【００１７】
光信号モニタ部８は、ＰＤ４のアノード側に直列接続され、ＰＤ４の出力信号である光電流Ｉｍｏｎに応じた電圧降下を生じさせる抵抗素子１１と、ＰＤ４のアノードに接続され、抵抗素子１１によって生じた電圧降下量であるモニタ電圧Ｖｍｏｎが入力されるアナログデジタル変換器（Ａ／Ｄコンバータ）１２とを有している。Ａ／Ｄコンバータ１２は、入力されたアナログ信号であるモニタ電圧Ｖｍｏｎを、そのレベルに応じたデジタル信号Ｄｍｏｎに変換してコントローラ６に出力する。
【００１８】
温度検出部９は、光送信器１の内部に設けられたサーミスタ等の温度センサ１３と、温度センサ１３とコントローラ６との間に接続されて、温度センサ１３から出力される温度検出信号Ｖｔを、デジタル信号Ｄｔに変換してコントローラ６に出力するＡ／Ｄコンバータ１４とを有している。
【００１９】
コントローラ６は、ＣＰＵやデジタルプロセッサ等によって構成される演算装置であり、Ａ／Ｄコンバータ１２から入力されたデジタル信号Ｄｍｏｎに基づいて、変調電流設定用信号Ｄｍ及びバイアス電流設定用信号Ｄｂを設定して、それぞれ、Ｄ／Ａコンバータ７ｍ及びＤ／Ａコンバータ７ｂに出力する。Ｄ／Ａコンバータ７ｍ，７ｂは、それぞれ、コントローラ６から出力されたデジタル信号である変調電流設定用信号Ｄｍ及びバイアス電流設定用信号Ｄｂを、アナログ信号（制御信号）Ｃｍ，Ｃｂに変換してＬＤ駆動回路３に出力する。また、コントローラ６には外部ホスト（図示せず）等と接続するためのシリアル通信ポート１５と、外部ホスト等に異常通知信号等の信号を出力するための外部通知信号用ポート１６とが設けられている。
【００２０】
具体的には、コントローラ６は、測定された光出力を示すデジタル信号Ｄｍｏｎが予め設定された目標値になるように、Ｐ制御、ＰＩ制御、或いはＰＩＤ制御をリアルタイムに行うことによって、変調電流設定用信号Ｄｍ及びバイアス電流設定用信号Ｄｂを設定する。このようにして、コントローラ６は、自動パワー制御（ＡＰＣ）を実行する。このとき、コントローラ６は、以下のいずれかの制御方法を用いて、ＬＤ駆動回路３における変調電流Ｉｍを設定する。第１の方法として、変調電流設定用信号Ｄｍを固定値、あるいは温度検出信号Ｄｔに応じた可変値に設定する。第２の方法としては、変調電流設定用信号Ｄｍをバイアス電流設定用信号Ｄｂの関数として、或いはバイアス電流設定用信号Ｄｂと温度検出信号Ｄｔの関数として設定する。第３の方法としては、変調された光信号Ｓｏｕｔの振幅、又はＬＤ２の微分効率を測定或いは推定して変調電流設定用信号Ｄｍを決定する。
【００２１】
さらに、コントローラ６は、ＡＰＣにおける異常状態を検出する機能を有する。すなわち、コントローラ６は、時間ΔＴ間隔でＡＰＣにおけるバイアス電流Ｉｂをモニタリングし、その結果得られたモニタ値（計測値）に基づいて、異常通知信号ＡＬＭを生成して外部通知信号用ポート１６に出力するとともにＬＤ２への駆動電流を停止するように動作する。
【００２２】
詳細には、コントローラ６は、時間ΔＴ間隔でＡＰＣにおけるバイアス電流設定用信号Ｄｂをモニタリングする。このとき、時刻ｔにおけるモニタ値がＩｂｉａｓ（ｔ）、時刻ｔ−ΔＴにおけるモニタ値がＩｂｉａｓ（ｔ−ΔＴ）であったとすると、コントローラ６は、下記式（１）；
ΔＩbias／ΔT＝｛Ｉbias（t）−Ｉbias（t−ΔT）｝／ΔT  …（１）
により、モニタ値の単位時間当たりの変化量ΔＩｂｉａｓ／ΔＴを算出する。そして、コントローラ６は、メモリ１０ｂから内部温度に応じて可変にされた閾値を読み出して、その閾値とモニタ値とに基づいて、ＡＰＣにおける異常状態を判定する。
【００２３】
図２には、メモリ１０ｂに格納された閾値設定用テーブルのデータ構成を示す。同図に示すように、メモリ１０ｂにおいて、内部温度“Ｔ０”，“Ｔ１”，…，“Ｔｎ”のそれぞれに対応付けてバイアス電流閾値（第１の閾値）“Ｉｂｔｈ（Ｔ０）”，“Ｉｂｔｈ（Ｔ１）”，…，“Ｉｂｔｈ（Ｔｎ）”が格納されている。まず、コントローラ６は、温度検出部９から出力されている温度検出信号Ｄｔの示す内部温度に対応するバイアス電流閾値Ｉｂｔｈを、メモリ１０ｂから読み出し、モニタ値Ｉｂｉａｓ（ｔ）とバイアス電流閾値Ｉｂｔｈとを比較する。そして、モニタ値Ｉｂｉａｓ（ｔ）がバイアス電流閾値Ｉｂｔｈを超えている場合に、ＡＰＣが異常状態にあると判断して、コントローラ６は、モニタ値の変化量ΔＩｂｉａｓ／ΔＴと予め設定された変化量閾値（第２の閾値）ΔＩｂｔｈとをさらに比較する。比較の結果、変化量ΔＩｂｉａｓ／ΔＴが変化量閾値ΔＩｂｔｈを超えた場合は、コントローラ６は、光出力モニタ部の故障が発生したと判断して、異常通知信号ＡＬＭを生成して出力するとともに、ＬＤ２への駆動電流の出力を停止するように設定用信号Ｄｍ，Ｄｂを設定する（あるいは、設定用信号Ｄｍ，Ｄｂを出力しない）。一方、コントローラ６は、モニタ値Ｉｂｉａｓ（ｔ）のみが閾値を超えた場合は、ＬＤ２の経年劣化による異常と判断して異常通知信号ＡＬＭの出力のみを行う。
【００２４】
ここでは、変化量閾値ΔＩｂｔｈは固定値とされているが、メモリ１０ｂに内部温度に応じた可変値として併せて格納されてもよい。また、変化量閾値ΔＩｂｔｈはΔＴを乗じた値として設定されていてもよい。この場合は、モニタ値の変化量ΔＩｂｉａｓ／ΔＴを求める際に除算をする必要が無くなるため演算を簡略化できる。
【００２５】
なお、Eye Safety（眼の安全性）の観点からは、コントローラ６における監視時間間隔ΔＴは、100msec以下であることが好適である。このようにΔＴを短時間に設定すると監視間隔において温度が変化しないので温度変化の寄与分を考慮せずに済むというメリットがある。一方で、作業者が触れないのでEye Safety（眼の安全性）を考慮の必要がない場合や、コントローラ６の処理能力の問題からΔＴをある程度長時間（例えば、１分以上）に設定せざるを得ない場合がある。この場合、コントローラ６は、メモリ１０ａに格納されたデータを読み出して、次のようにして、バイアス電流のモニタ値の変化量ΔＩｂｉａｓ／ΔＴを求めることもできる。
【００２６】
図３には、メモリ１０ａに格納されたモニタ値設定用テーブルのデータ構成を示す。同図に示すように、メモリ１０ａにおいて、内部温度“Ｔ０”，“Ｔ１”，…，“Ｔｎ”のそれぞれに対応付けて最適なバイアス電流設定値の初期値“Ｉｉｎｉｔ（Ｔ０）”，“Ｉｉｎｉｔ（Ｔ１）”，…，“Ｉｉｎｉｔ（Ｔｎ）”が格納されている。このバイアス電流設定値の初期値は、光送信器１の製造時に温度特性を含めたＬＤ２のＩＬ特性を測定したときに各温度に対応して求められる。コントローラ６は、時刻ｔにおけるモニタ値をＩｂｉａｓ（ｔ）、内部温度をＴｅｍｐ（ｔ）とすると、時刻ｔにおけるバイアス電流設定値の初期値Ｉｂｉａｓ−ｉｎｉｔ（ｔ）を、Ｔｅｍｐ（ｔ）に対応付けて格納されているバイアス電流設定値の初期値“Ｉｉｎｉｔ（Ｔｅｍｐ（ｔ））”をメモリ１０ａから読み出すことにより得る。また、コントローラ６は、時刻ｔ−ΔＴにおけるモニタ値をＩｂｉａｓ（ｔ−ΔＴ）、内部温度をＴｅｍｐ（ｔ−ΔＴ）とすると、時刻ｔ−ΔＴにおけるバイアス電流設定値の初期値Ｉｂｉａｓ−ｉｎｉｔ（ｔ−ΔＴ）を、バイアス電流設定値の初期値“Ｉｉｎｉｔ（Ｔｅｍｐ（ｔ−ΔＴ））”をメモリ１０ａから読み出すことにより得る。そして、コントローラ６は、時刻ｔ−ΔＴにおける内部温度がＴｅｍｐ（ｔ）だった場合の推定バイアス電流設定値を、下記式（２）；
Ｉbias−vir（t−ΔT）＝Ｉbias（t−ΔT）×Ｉbias−init（t）／Ｉbias−init（t−ΔT）…（２）
を用いて求めることができる。これにより、コントローラ６は、バイアス電流モニタ値の単位時間当たりの変化量ΔＩｂｉａｓ／ΔＴを、温度変化の影響を取り除いて算出することができる。
【００２７】
以上説明した光送信器１によれば、光信号のモニタ信号Ｉｍｏｎに応じて駆動電流Ｉｍ，Ｉｂが制御されて、光出力ＳｏｕｔのＡＰＣ制御が為される。このとき、ＬＤ制御回路５によって、駆動電流Ｉｂのモニタ値Ｉｂｉａｓ（ｔ）とバイアス電流閾値Ｉｂｔｈとを比較し、さらにモニタ値の変化量ΔＩｂｉａｓ／ΔＴと変化量閾値ΔＩｂｔｈとを比較し、両方の比較結果に応じて外部への異常通知信号ＡＬＭの出力及びＬＤ２に供給される駆動電流Ｉｍ，Ｉｂの停止が為される。これにより、ＬＤの経年劣化によるＡＰＣ制御の異常を判別して異常状態の通知及び光出力Ｓｏｕｔのシャットダウンが可能になり、伝送信号の切断を極力防ぎつつ光出力を適切に制御することが可能となる。
【００２８】
また、バイアス電流Ｉｂのモニタ値Ｉｂｉａｓ（ｔ）と比較されるバイアス電流閾値Ｉｂｔｈは内部温度に応じて可変にされている。これは、図４に示すようなＬＤの駆動電流と光出力パワーとの関係（Ｉ−Ｌ特性）の温度依存性を考慮したものである。つまり、ＬＤ制御回路５で設定されるバイアス電流閾値Ｉｂｔｈは、温度センサ１３からの温度検出信号Ｖｔに基づいて、相対的に低温の場合のバイアス電流閾値Ｉｂｔｈ（ＴＬ）が相対的に高温の場合のバイアス電流閾値Ｉｂｔｈ（ＴＨ）よりも小さくなるように設定される。これにより、ＬＤの光出力パワーの温度依存性に対応した閾値を設定して、光出力に応じた異常検出を実現することができる。
【００２９】
また、ＬＤ制御回路５は、定期的にバイアス電流設定用信号Ｄｂからモニタ値Ｉｂｉａｓ（ｔ）を求め、モニタ値Ｉｂｉａｓ（ｔ）とバイアス電流閾値Ｉｂｔｈとを比較するとともに、該モニタ値の変化量ΔＩｂｉａｓ／ΔＴと変化量閾値ΔＩｂｔｈとを比較するので、駆動電流を計測するための制御回路の構成を単純化することができる。
【００３０】
なお、本発明は、前述した実施形態に限定されるものではない。例えば、ＬＤ制御回路５においては、ＬＤ２に駆動されるバイアス電流Ｉｂを直接計測してバイアス電流の計測値を求めてもよい。また、バイアス電流Ｉｂとともに、又はバイアス電流Ｉｂの代わりに、変調電流Ｉｍを計測してその時間変化量と共に閾値と比較してもよい。また、コントローラ６がバイアス電流Ｉｂを計測する際には、バイアス電流設定用信号Ｄｂのモニタ値Ｉｂｉａｓとバイアス電流Ｉｂの直接の測定値Ｉｂｉａｓ_ｍｅａｓから、下記式（３）；
Ｉbias＝α・Ｉbias＋β・Ｉbias_meas      …（３）
を用いてモニタ値を平均化してもよい。上記式中、α＋β＝１であり、αと時間ΔＴとによって平均化の積分時間が定められる。
【００３１】
また、ＡＰＣ制御においては、バイアス電流Ｉｂと変調電流Ｉｍの制御の他に、ハイレベルＩｂ＋ＩｍとローレベルＩｂの電流値を制御したり、平均電流Ｉｂ＋Ｉｍ／２とＬＤ印加電圧信号振幅ＲＬＤ×Ｉｍ（ＲＬＤはＬＤ２の信号入力ノードにおけるインピーダンス）を制御する場合があるが、その場合は、それらの計測値を閾値と比較してもよい。
【００３２】
また、コントローラ６は、モニタ値の変化量ΔＩｂｉａｓとして１０ΔＴや１００ΔＴのように、計測時間間隔ΔＴの整数倍前のモニタ値間で差分をとってもよい。
【００３３】
また、メモリ１０ａ，１０ｂには各データが内部温度に関して離散的なデータとして格納されているが、この場合に、内部温度ＴがＴｍ≦Ｔ＜Ｔｍ＋１（ｍは整数）の場合に閾値Ｉｂｔｈ（Ｔｍ）又はバイアス電流設定値Ｉｉｎｉｔ（Ｔｍ）として読み出してもよいし、前後のデータから内挿又は外挿によって求めてもよい。
【００３４】
また、メモリ１０ｂにおいて閾値Ｉｂｔｈとして２通りの値を保持しておいて、ヒステリシスを与えてもよい。すなわち、コントローラ６は、一旦モニタ値Ｉｂｉａｓがバイアス電流閾値Ｉｂｔｈ_ＬＨを超えて異常状態と判断した後は、バイアス電流閾値Ｉｂｔｈ_ＨＬを下回った場合に正常状態に復帰したと判断する。このようにすれば、バイアス電流設定値が閾値近傍まできたときの異常検出のバタツキを抑えることができる。
【００３５】
また、光送信器１におけるＡＰＣ制御は、コントローラ６を介さないでアナログ回路によってフィードバック処理が為されてもよい。この場合は、デジタルプロセッサがアナログ回路におけるバイアス電流Ｉｂをモニタすることによって、上述したような異常状態検出処理を行う。
【図面の簡単な説明】
【００３６】
【図１】本発明の好適な一実施形態である光送信器の構成を示す図である。
【図２】図１のメモリに格納された閾値設定用テーブルのデータ構成を示す図である。
【図３】図１のメモリに格納されたモニタ値設定用テーブルのデータ構成を示す図である。
【図４】ＬＤの駆動電流と光出力パワーとの関係（Ｉ−Ｌ特性）の温度依存性を示すグラフである。
【符号の説明】
【００３７】
１…光送信器、２…ＬＤ、３…ＬＤ駆動回路、４…モニタ用ＰＤ、５…ＬＤ制御回路、１３…温度センサ、ＡＬＭ…異常通知信号、Ｃｂ…バイアス電流設定用信号（制御信号）、Ｃｍ…変調電流設定用信号（制御信号）、Ｉｍｏｎ…光電流（モニタ信号）、Ｓｏｕｔ…光信号。  
【図１】
2007325189.tif 000003
【図２】
2007325189.tif 000004
【図３】
2007325189.tif 000005
【図４】
2007325189.tif 000006